(57)【要約】【課題】  従来における宿泊予約システムでは、利用者が条件を入力して宿泊施設を選択する必要があるため、急いで近くにある宿泊施設を確保しようとした場合に、無駄な作業が発生していた。また、日付が変更になった後は、システムによりその夜の宿泊予約を行うことができず、電話による問い合わせが必要になるような場合もあり不便であった。【解決手段】  利用者が備える移動通信端末から取得した利用者の現在の位置情報と、予約受付を行う複数の宿泊施設の位置情報と、該宿泊施設の空室情報とに基づき、利用者の現在地に近接した宿泊施設であって、空室がある宿泊施設の情報を提供して予約を受け付けるとともに、２４時（午後１２時）を経過した場合であっても、その夜の予約受付をシステムにより行う。【選択図】      図２
2010073175.tif 000002
【特許請求の範囲】
【請求項１】
複数の施設の予約空き情報と該複数の施設の位置情報を保持する計算機を用いて、利用者が備える位置情報の送信機能を有する携帯情報端末に、予約に空きがある施設の情報を提供する予約情報提供システムであって、
ネットワークを介して接続する前記利用者の携帯情報端末の表示部に、前記空きがある施設の情報を提供する画面を表示して、利用者の携帯情報端末から送信される位置情報を受信する利用者位置情報受信手段と、
前記利用者の携帯情報端末から送信された位置情報と、前記複数の施設の位置情報とに基づき、利用者に情報提供を行う施設を判定する情報提供施設判定手段と、
前記情報提供施設判定手段により抽出された施設の情報と、前記複数の施設の予約空き情報とに基づき、利用者に情報提供を行う空きがある施設を判定する空き施設判定手段と、
前記空きがある施設の情報を提供する画面表示データを生成して、利用者の携帯情報端末に送信する空き施設情報表示手段と、
を備えることを特徴とする予約情報提供システム。
【請求項２】
前記計算機は、前記複数の施設の予約を受け付けて、複数の施設の予約空き情報を含む予約情報を管理する計算機であって、
前記空き施設情報表示手段により利用者の携帯情報端末に表示される画面表示データには、該空き施設の予約を受け付ける入力領域を含み、
該入力領域にされた利用者からの入力に基づき、前記施設の予約空き情報を含む予約情報を更新する予約受付手段を備えることを特徴とする請求項１記載の予約情報提供システム。
【請求項３】
前記計算機は、前記複数の施設における予約受付の締切時間の情報をさらに備え、
前記空き施設判定手段は、前記複数の施設の空き情報と該予約受付の締切時間の情報とに基づき、空きがある施設のデータを抽出することを特徴とする請求項１又は２記載の予約情報提供システム。
【請求項４】
前記施設の予約空き情報は、当日以降の予約空き情報と、前日の予約空き情報とを保持し、
前記空き施設判定手段は、予約に空きがある施設の情報を提供する時間に応じて、異なる予約空き情報を参照することを特徴とする請求項１乃至３のいずれか１に記載の予約情報提供システム。
【発明の詳細な説明】
【技術分野】
【０００１】
利用者が備える移動通信端末のＧＰＳ機能等を用いて取得した利用者の位置情報から、利用者の現在地に近接する宿泊施設の予約状況を参照して、利用者に空室のある宿泊施設の情報を提供する予約情報提供システムに関する。
【背景技術】
【０００２】
従来における携帯電話機等の移動通信端末を用いた宿泊施設の情報提供サービスでは、利用者が自ら指定した宿泊施設や宿泊日、宿泊地域、価格帯等の条件に基づき、該当する施設の空室・満室等の予約情報を提供し、空室のある宿泊施設に対して利用者からの宿泊予約を受け付けるサービスが行われていた。
【０００３】
一方、近年の移動通信端末は、全地球測位システム（ＧＰＳ＝Global Positioning System）の機能を備えて、利用者の現在位置情報を検出することができる機種が一般的となっている。
【０００４】
そのため、宿泊施設の空室情報に関する情報を一見して識別可能に変換させてこれを宿泊施設の所在地と合成させて出力することにより、宿泊施設の所在地と空室の有無が一見して把握できるようになされた宿泊情報提供システム、宿泊情報提供装置、宿泊情報提供方法、プログラム、記憶媒体、宿泊管理装置、宿泊管理方法、プログラム、記憶媒体の技術等が提案されている。（例えば、特許文献１を参照）。
【０００５】
また、端末装置の位置を含む予約用情報を提供し、かつ端末装置から選択された施設の予約を容易に行うことが可能な情報提供システムの技術等が提案されている。（例えば、特許文献２を参照）。
【特許文献１】特開２００３−２４２３７７号公報
【特許文献２】特開２００６−２３５９７９号公報
【発明の開示】
【発明が解決しようとする課題】
【０００６】
上述の通り、従来における宿泊情報を提供するシステムでは、利用者が宿泊予約を希望する宿泊施設や宿泊日、宿泊地域、価格帯等の条件を指定することで、空室・満室等の予約情報を受け取ることになるため、利用者が現在地からの移動が便利な宿泊施設を探す場合でも、近い条件を指定して取得した複数の施設情報のなかから、希望する宿泊施設を選択することになり、無駄な作業が発生しているという問題があった。
【０００７】
また、利用者がその土地に詳しくない場合には、近い条件を指定することも困難であり、希望に沿った宿泊施設を検索できないという問題もあった、
【０００８】
さらに、利用者が現在地に近接した宿泊施設を検索するような場合は、夜間であることが多いと想定されるが、一般に宿泊施設の予約受付システムでは、２４時（午後１２時）を経過して日付が変更となると、その夜の予約は予約受付システムでは行うことができないため、予約受付システムが備える検索機能を活用することができず、夜間であることから一刻も早く宿泊施設の確保を希望するような状況であっても、利用者は、空室がある宿泊施設を確保できるまで、候補と考えられる宿泊施設に電話等による問い合わせを行わなければならず、煩わしさに耐えないという問題もあった。
【０００９】
なお、移動体端末の現在位置を検出する機能を利用して、利用者に宿泊施設の情報提供を行う技術については、宿泊施設の情報提供から予約受付までを、具体的に実現する技術は提案されていない。
【００１０】
本発明はかかる事情に鑑みてなされたものであり、利用者が備える移動通信端末から取得した利用者の現在の位置情報と、予約受付を行う複数の宿泊施設の位置情報と、該宿泊施設の空室情報とに基づき、利用者の現在地に近接した宿泊施設であって、空室がある宿泊施設の情報を提供して予約を受け付けるとともに、２４時（午後１２時）を経過した場合であっても、その夜の予約受付をシステムにより行うことができる予約情報提供システムを提供することを目的とする。
【課題を解決するための手段】
【００１１】
本発明の予約情報提供システムは、複数の施設の予約空き情報と該複数の施設の位置情報を保持する計算機を用いて、利用者が備える位置情報の送信機能を有する携帯情報端末に、予約に空きがある施設の情報を提供する予約情報提供システムであって、ネットワークを介して接続する前記利用者の携帯情報端末の表示部に、前記空きがある施設の情報を提供する画面を表示して、利用者の携帯情報端末から送信される位置情報を受信する利用者位置情報受信手段と、前記利用者の携帯情報端末から送信された位置情報と、前記複数の施設の位置情報とに基づき、利用者に情報提供を行う施設を判定する情報提供施設判定手段と、前記情報提供施設判定手段により抽出された施設の情報と、前記複数の施設の予約空き情報とに基づき、利用者に情報提供を行う空きがある施設を判定する空き施設判定手段と、前記空きがある施設の情報を提供する画面表示データを生成して、利用者の携帯情報端末に送信する空き施設情報表示手段と、を備えることを特徴とする。
【００１２】
ここで「施設」とは、宿泊施設や教室・会議室等の貸室、スポーツ施設、遊戯施設等の、所定の時間に所定の空間を利用する契約の対象を意味し、通常において一つの施設内に複数のスペースを有する。「施設の予約空き情報」とは、たとえば宿泊施設では「空室の情報」を意味する。「施設の位置情報」とは、施設が立地する場所の緯度経度や、施設の住所等の情報を意味する。
【００１３】
「位置情報の送信機能を有する携帯情報端末」とは、たとえば全地球測位システム（ＧＰＳ＝Global Positioning System）により携帯情報端末の位置する経度緯度を測定する機能や、携帯情報端末が通信する移動体基地局から簡易に位置情報（エリア情報）を取得することができる機能を備えた携帯電話等の情報端末を意味する。
【００１４】
「空きがある施設の情報を提供する画面」とは、空きがある施設の検索結果を表示する画面に限らず、その検索を申し込む画面も含む意味である。「利用者の携帯情報端末から送信される位置情報」は、たとえば、空きがある施設の検索申込画面を表示するデータに携帯情報端末の位置情報を送信するタグを埋め込み、利用者から検索申込の入力がなされた場合に位置情報の送信を実行させるように設定することで実現する。
【００１５】
「利用者に情報提供を行う施設」の判定では、たとえば利用者の携帯情報端末がＧＰＳ機能を備えて緯度経度の測定が可能な場合には、施設の経度緯度との２点間の直線距離を算出し、複数の施設のうち、利用者の携帯情報端末との直線距離が短い施設を利用者に情報提供を行う施設と判定するように設定する。さらに、２点間の直線距離に上限を設けるように設定することで、利用者が移動に要する負担を一定の範囲とすることができる。
【００１６】
また、利用者の携帯情報端末が、通信する移動体基地局から簡易な位置情報（エリア情報）を取得できる場合には、たとえば同一または隣接するエリアに位置する施設を、利用者に情報提供を行う施設と判定するように設定する。
【００１７】
本発明の予約情報提供システムによれば、利用者が急な施設の予約を行う場合でも、利用者が備える携帯情報端末の現在の位置情報と、現在の施設の予約空き情報とに基づき、利用者に近接した空きがある施設を検索して画面に表示されるので、利用者は表示された空きがある施設から、容易に希望する施設を選択することができる。
【００１８】
また、本発明の予約情報提供システムにおいて、前記計算機は、前記複数の施設の予約を受け付けて、複数の施設の予約空き情報を含む予約情報を管理する計算機であって、前記空き施設情報表示手段により利用者の携帯情報端末に表示される画面表示データには、該空き施設の予約を受け付ける入力領域を含み、該入力領域にされた利用者からの入力に基づき、前記施設の予約空き情報を含む予約情報を更新する予約受付手段を備えることを特徴とする。
【００１９】
ここで「複数の施設の予約空き情報を含む予約情報を管理する」とは、直接管理する施設の予約情報を管理する形態に加えて、たとえば、自社または他社の複数の宿泊施設における予約を、一括して受け付ける予約サーバのような形態も含むものである。かかる形態では、宿泊施設が現地で受け付けた予約についても、現地の宿泊施設にサーバを設置して自宿泊施設の予約情報の管理を行い、ネットワークを介して予約サーバが保持する予約情報と同期をとるように設定することが好ましい。
【００２０】
本発明の予約情報提供システムによれば、空きがある施設の情報の表示画面において該施設の予約申込が可能となるので、タイムラグにより空き情報が更新されて、予約申込ができないといった事態を回避することができる。
【００２１】
なお、空きがある施設の情報の表示から施設の予約申込までを、一つのトランザクション処理とすることで、さらに確実にタイムラグにより予約申込ができないといった事態を回避することができる。
【００２２】
さらに、本発明の予約情報提供システムにおいて、前記計算機は、前記複数の施設における予約受付の締切時間の情報をさらに備え、前記空き施設判定手段は、前記複数の施設の空き情報と予約受付の締切時間の情報とに基づき、空きがある施設のデータを抽出することを特徴とする。
【００２３】
ここで「予約受付の締切時間の情報」とは、たとえば宿泊施設においては、「当日」の宿泊結果を記録するための締め処理がなされる「時間」の情報であって、午前０時を過ぎて日付が「翌日」となってから「前日」の宿泊結果を記録する場合も含むものである。一般に宿泊施設では締め処理がなされた後は、新たな宿泊予約の受付を行わない。なお、予約受付の締切時間は宿泊施設によって異なっている。
【００２４】
本発明の予約情報提供システムによれば、計算機が予約受付の締切時間の情報を保持することで、締切時間を経過した施設を検索対象から排除することができるので、深夜においても空きがある施設を正確に検索することができる。
【００２５】
なお、本発明の予約情報提供システムにおいて、前記施設の予約空き情報は、当日以降の予約空き情報と、前日の予約空き情報とを保持し、前記空き施設判定手段は、予約に空きがある施設の情報を提供する時間に応じて、異なる予約空き情報を参照することを特徴とする。
【００２６】
ここで「当日以降の予約空き情報」とは、たとえば、予約サーバが宿泊施設の予約を受け付ける際に参照する当日から数日先までの予約情報を管理するデータ等を意味する。一般に、宿泊施設の予約サーバを用いて行われる予約受付処理では、「当日」とは２４時（午後１２時）までを意味する。
【００２７】
そのため従前においては、たとえば日付が変わった午前１時に、その夜の宿泊予約を行う場合には、予約サーバの処理において「前日」の宿泊予約となるため、予約サーバを経由した宿泊予約を行うことはできず、宿泊施設のフロント等の担当者に予約申込を行う必要があった。
【００２８】
「前日の予約空き情報」とは、たとえば宿泊施設の予約サーバ等の「当日以降の空き情報」において、日付が変更された時点の残室の予約情報を、別途に管理するデータ等を意味する。
【００２９】
また「予約に空きがある施設の情報を提供する時間に応じて」とは、たとえば２４時を経過して日付が変更された後に、予約に空きがある施設の情報を提供する場合には、「当日以降の空き情報」ではなく、「前日の予約空き情報」に基づいて予約に空きがある施設の情報を提供する。
【００３０】
本発明の予約情報提供システムによれば、日付が変更した後において、その夜の宿泊予約を行うような場合にも、宿泊施設の予約サーバを経由した予約情報の提供を受けることができるので、大幅に利便性を高めることができる。
【００３１】
また、宿泊施設の予約サーバは、「前日の予約空き情報」に基づいて、利用者からの宿泊予約を受け付けることもできるので、利用者および宿泊施設の従業員の予約申込手続に要する作業負担を軽減することができる。
【発明の効果】
【００３２】
本発明の予約情報提供システムによれば、たとえば、外出中の利用者が何らかの事情により帰宅できなくなったような状況において、急な宿泊施設の予約を行う場合であっても、利用者が備える携帯情報端末の現在の位置情報と、現在の宿泊施設の予約空き情報とに基づき、利用者に近接した空室がある宿泊施設を検索して画面に表示されるので、利用者は携帯情報端末に表示された空室がある宿泊施設から、利用を希望する宿泊施設を容易に選択することができる。
【００３３】
また、空室がある宿泊施設の情報の表示画面において該宿泊施設の予約申込が可能となるので、タイムラグにより空室情報が更新されて、宿泊予約の申し込みができないといった事態を回避することができる。
【００３４】
さらに、複数の宿泊施設の予約を管理する予約サーバが、それぞれの宿泊施設における予約受付の締切時間の情報を保持することで、締切時間を経過した宿泊施設を検索対象から排除することができるので、深夜においても空室がある宿泊施設を正確に検索することができる。
【００３５】
また、２４時以降の宿泊施設の空室情報を管理するデータを備えることで、日付が変更となった後において、その夜の宿泊予約を行うような場合であっても、宿泊施設の予約サーバを経由した予約情報の提供を受けることができるので、大幅に利用者の利便性を高めることができる。
【００３６】
さらに、日付が変更した後においても、宿泊施設の予約サーバにより、利用者からの宿泊予約を受け付けることもできるので、利用者および宿泊施設の従業員の予約申込手続に要する作業負担を軽減することができる。
【発明を実施するための最良の形態】
【００３７】
以下、本発明の予約情報提供システムにかかる第１の実施の形態について説明する。
図１は、本実施形態の予約情報提供システム１の概要を示した図である。図示しない利用者が備える携帯情報端末４は、ＧＰＳ送受信装置を内蔵する（ＧＰＳ送受信部４６）。携帯情報端末４は、ＧＰＳ送受信部４６により複数のＧＰＳ衛星５等との通信を行い、移動通信端末部４１〜４５の通信機能を用いて、移動体基地局６、移動体通信網７を経由して、通信会社が設置する位置情報サーバ８にアクセスすることにより、現在の利用者の位置情報（緯度経度情報）を算出する。なお、複数のＧＰＳ衛星５等との通信結果に基づき、携帯情報端末の機能により緯度経度情報を算出する端末であってもよい。
【００３８】
あるいは、携帯情報端末４の移動通信端末部４１〜４５は、移動体基地局６と通信を行い、移動体通信網７を経由して、通信会社が設置する位置情報サーバ８にアクセスすることにより、現在の利用者の位置情報（エリア情報）を取得する。
【００３９】
さらに、携帯情報端末４は、移動通信端末部４１〜４５の機能により、移動体基地局６、移動体通信網７、インターネット等のネットワーク３を経由して、予約サーバ１０にアクセスすることで、予約サーバ１０が利用者の現在地を中心とした任意の半径内（あるいはエリア内）に位置する宿泊施設を検索して、利用者が備える携帯情報端末４に情報提供を行う。利用者は、宿泊施設に対して直接電話をかけるか、または、予約システムにより予約処理を行うことが可能となる。
【００４０】
図２は、本実施形態の予約情報提供システム１における機能ブロック図である。
本実施形態の予約情報提供システム１は、インターネット等のネットワーク３を介して接続する予約サーバ１０，宿泊施設サーバ２等、さらに、移動体通信網７，移動体基地局６等を経由してネットワーク３と接続する携帯情報端末４等により構成されている。
【００４１】
また、携帯情報端末４は、全地球測位システム（ＧＰＳ＝Global Positioning System）を備え、ＧＰＳ衛星５等と通信を行って現在の位置情報を算出する。さらに、携帯情報端末４は、移動体通信網７を経由して位置情報サーバ８と接続する。
【００４２】
本実施形態の予約サーバ１０は、ネットワーク３と接続する送受信部１１，予約情報の提供に関する演算処理を行う中央演算処理部１２，予約情報の提供に必要な情報を保持する記憶部１３，データを入力するキーボード等の入力部１４およびデータを出力するモニタ等の表示装置あるいはプリンタ等の出力部１５から構成される。
【００４３】
予約サーバ１０の中央演算処理部１２には、送受信部１１との間でデータの受け渡しを行う送受信処理手段１２１，入力部１４または出力部１５とデータの受け渡しを行う入出力処理手段１２２，利用者の携帯情報端末４に検索申込の画面表示データを送信し、利用者の携帯情報端末４から送信される位置情報データを受信する利用者位置情報受信手段１２３，利用者の現在の位置から近くにある宿泊施設を検索して、情報提供を行う施設と判定する情報提供施設判定手段１２４，情報提供を行う施設と判定された宿泊施設の空室情報を参照する空き施設判定手段１２５，利用者が備える携帯情報端末４等に、利用者の現在地から近くにあって、空室がある施設の情報を表示する空き施設情報表示手段１２６，利用者が備える携帯情報端末４等に入力された宿泊予約の申込データを受信して、宿泊施設の予約受付を行う予約受付手段１２７等を備える。
【００４４】
記録部１３には、宿泊施設の予約受付を行った予約者等の予約状況のデータを保持する予約ＤＢ１３１，予約情報の提供を行う宿泊施設の残室数のデータを保持する空室テーブル１３２，２４時（午後１２時）以降において、日付変更前の日における宿泊施設の残室数のデータを保持する２４時以降の空室テーブル１３３，予約情報の提供を行う宿泊施設の位置情報のデータを保持する位置情報ＤＢ１３４，利用者の情報携帯端末４等からなされた空室施設の検索の履歴データを保持する検索履歴テーブル１３５等を備える。
【００４５】
図３には、本実施形態において予約サーバ１０が備える予約ＤＢ１３１の構成例を示す。予約ＤＢ１３１では、予約を受け付けた日、宿泊施設名、シングル・ダブル等の部屋タイプ、宿泊日、予約者等の、予約内容や利用者を特定する各種データを保持する。また、予約受付後の状態を示すステータス情報も記録される。
【００４６】
図４には、本実施形態において予約サーバ１０が備える空室テーブル１３２の構成例を示す。空室テーブル１３２では、宿泊施設名の部屋タイプごとに、各宿泊日の残室数の情報を備え、本例では最後にデータが更新された時間であるデータ更新時間の情報も管理する。
【００４７】
なお、それぞれの宿泊施設では、当日の宿泊実績を集約するために所定の時間に予約の受付を締め切ることとしている。本例では予約受付を締め切った宿泊施設については、所定の時間の到来により「締切」の欄に「済」と入力される。一方、「締切」の欄に「未」と入力されている宿泊施設は、引き続き宿泊予約の受付を行っていることを意味する。
【００４８】
図４では、８月１１日の午前０時３０分における空室テーブル１３２のデータ構成例を示している。それぞれの宿泊施設の部屋タイプごとに、残室数の有無や、予約受付の締め切りの状況が異なる。
【００４９】
図５には、本実施形態において予約サーバ１０が備える２４時以降の空室テーブル１３３の構成例を示す。
【００５０】
一般的に、宿泊施設の予約サーバにおける予約受付処理では、「当日」とは２４時（午後１２時）までを意味する。そのため、通常において宿泊施設の空室情報を保持する予約サーバ１０の空室テーブル１３２では、２４時を経過すると、経過前の日は「前日」となり、空室テーブル１３２からデータが消去される。しかし、現地の宿泊施設では２４時を経過しても、予約が締め切られていない限り予約を受け付けることとしている。そのため、本実施形態の２４時以降の空室テーブル１３３では、２４時の経過後における空室情報を管理することとしている。
【００５１】
図５では、８月１１日の午前０時３０分における２４時以降の空室テーブル１３２のデータ構成例を示している。図４に示す通常における空室テーブルと比較すると、引き続き予約受付を行う当日以降のデータは保持せず、日付の変更により「前日」となった「８月１０日」における宿泊施設の空室情報のみを保持することとしている。
【００５２】
図６に示す位置情報ＤＢ１３４では、予約サーバ１０が予約受付を行う宿泊施設ごとに、施設が立地する場所の緯度経度の情報や、通信事業者においてエリア分けされたエリア情報等のデータを保持する。なお、かかるデータに変更が生じた場合には、たとえば、オペレータにより、予約サーバ１０が備えるキーボード等（入力部１４）から変更入力を行う。
【００５３】
図７には、本実施形態における検索履歴テーブル１３５のデータ構成例を示す。
検索履歴テーブル１３５では、利用者の携帯情報端末４等からなされた宿泊施設の空室検索の履歴データを保持する。具体的には、空室検索の申込がなされた日時、携帯情報端末４等が備える機能により得られる位置情報の種類、緯度経度やエリア情報等の位置情報、後述する空きがある宿泊施設の検索の結果、情報提供施設とされた宿泊施設の名称、該当する宿泊施設と利用者の携帯情報端末４等との直線距離、同施設における空室の有無等のデータを保持する。
【００５４】
次に、ネットワーク３を介して予約サーバ１０と接続する宿泊施設サーバ２について説明する。宿泊施設サーバ２は、基本的な構成については予約サーバ１０と同じであるので、異なる点を説明する。
【００５５】
宿泊施設サーバ２は、予約サーバ１０が宿泊予約の管理を行う複数の宿泊施設にそれぞれ設置されたサーバで、自施設の予約状況の管理等を行う。具体的には中央演算処理部２２に予約受付手段２２３を備えて、利用者からの宿泊予約受付を行う。
【００５６】
記憶部２３には予約ＤＢ２３１を備えて、自施設が受け付けた宿泊予約のデータを管理する。さらに、空室テーブル２３２を備えて、自施設の空室情報を管理する。なお、これらの情報は、予約サーバ１０の記憶部１３が備える予約ＤＢ１３１、空室テーブル１３２との同期を行い、予約サーバ１０が受け付けた宿泊予約や空室情報の変更は、該当する施設の宿泊施設サーバ２に反映される。一方、いずれかの施設の宿泊施設サーバ２が受け付けた宿泊予約や空室情報の変更は予約サーバ１０に反映される。
【００５７】
宿泊施設サーバ２の記憶部２３が備える予約ＤＢ２３１の構成例を図８に示す。基本的な構成は予約サーバ１０が備える予約ＤＢ１３１と同じであるが、宿泊施設サーバ２の予約ＤＢ２３１では、自施設の予約情報のみを保持する。
【００５８】
図９には、宿泊施設サーバ２の記憶部２３が備える空室テーブル２３２の構成例を示す。基本的な構成は予約サーバ１０が備える空室テーブル１３２と同じであるが、宿泊施設サーバ２の空室テーブル２３２では、自施設の空室情報のみを保持する。
【００５９】
次に、携帯情報端末４の構成について説明する。携帯情報端末４は移動体基地局６との通信を行う通信部４１、全体の制御を行う制御部４２、利用者からの入力を受け付ける操作部４３、利用者に画面表示等を行う表示部４４、音声通信の機能を有する音声処理部４５、ＧＰＳ機能を有するＧＰＳ送受信部４６を備える。
【００６０】
携帯情報端末４の通信部４１は、移動体基地局６から移動体通信網７、インターネット等のネットワーク３を介して、予約サーバ１０、宿泊施設サーバ２等と接続する。また、ＧＰＳ送受信部４６は、ＧＰＳ衛星５等から送信される電波を受信する。
【００６１】
図１０では、本実施形態の予約情報提供システム１の処理シーケンスを示す。
はじめに、利用者が備える携帯情報端末４は、利用者の要求により予約サーバ１０にアクセスを行い、宿泊施設の予約画面を表示する（Ｓ４０）。次に、宿泊施設の空室検索を行うために、ＧＰＳ（エリア情報）機能を実行する位置情報取得画面を表示すると（Ｓ４２）、ＧＰＳ（エリア情報）機能により位置情報を取得して、予約サーバ１０へ送信する（Ｓ４４）。
【００６２】
利用者位置情報受信手段１２３により、利用者が備える携帯情報端末４の位置情報を受信した予約サーバ１０は、情報提供施設判定手段１２４により、位置情報ＤＢ１３４が備えるデータを参照して、携帯情報端末４から任意の半径距離内（またはエリア内）に立地する宿泊施設を検索する。さらに、空き施設判定手段１２５により、空室がある施設を検索して、空き施設情報表示手段１２６により、利用者が備える携帯情報端末４に送信する（Ｓ４６）。
【００６３】
利用者が備える携帯情報端末４の表示部４４には、宿泊施設の一覧が表示されて（Ｓ４８）、利用者がいずれかを宿泊する施設に選択することで、予約受付処理が実行される（Ｓ５０）。具体的には、利用者が備える携帯情報端末４の操作部４３から入力された情報に基づき、予約サーバ１０の予約受付手段１２７が予約の受付を行う（Ｓ５２）。
【００６４】
なお、図１０では、予約サーバ１０が備える空室テーブル１３２の更新についても説明する。
予約サーバ１０の空室テーブル１３２は、予約受付手段１２７により受け付けた宿泊予約に伴い、空室テーブル１３２の残室数を減算することとするが、宿泊予約の受付は、利用者から宿泊施設への電話による予約申込や、利用者が直接来店して予約を行う場合もある。かかる場合には宿泊施設サーバ２が備える予約受付手段２２３により、予約サーバ１０に受け付けた内容を送信する（Ｓ３０）。
【００６５】
空室情報を受信した予約サーバ１０では、データの内容により空室テーブル１３２の減算を行う（Ｓ３２）。
【００６６】
なお、利用者からの宿泊予約後に、予約サーバ１０または宿泊施設にキャンセルがなされた場合には、空室テーブル１３２，２３２の残室数のデータを加算するとともに、予約ＤＢ１３１，２３２における「ステータス」の欄を「予約」から「キャンセル」に更新する。
【００６７】
［利用者位置情報受信手段１２３］
図１１は、本実施形態の予約情報提供システム１において、利用者の携帯情報端末４の表示部４４に宿泊施設の空室検索を申し込む画面を表示して、空室検索の申込を受け付け、利用者の携帯情報端末４が取得した位置情報を受信する利用者位置情報受信手段１２３の処理フローを示した図である。
【００６８】
はじめに、利用者の携帯情報端末４の操作部４３から、宿泊施設の空室検索画面の表示を要求する入力を受信すると（Ｓ１０１）、利用者位置情報受信手段１２３は、利用者の携帯情報端末４に、宿泊施設の空室検索を申し込む画面の表示データを送信する（Ｓ１０２）。
【００６９】
利用者の携帯情報端末４の表示部４３には、空室検索を申し込む選択入力領域が配置された案内画面が表示されて、利用者が選択入力を行うと、利用者位置情報受信手段１２３はかかる入力を受信する（Ｓ１０３）。さらに、かかる選択入力により、利用者の携帯情報端末４が備える機能を用いて取得した位置情報を受信する（Ｓ１０４）。
【００７０】
次に、利用者位置情報受信手段１２３は、受信した位置情報のデータが緯度経度の情報であるＧＰＳ情報か否かの判定を行い（Ｓ１０５）、ＧＰＳ情報である場合には（Ｓ１０５において「ＹＥＳ」）、予約サーバ１０が備える検索履歴テーブル（図７）の「位置情報種類」の欄に「ＧＰＳ」と入力するとともに、「位置情報」の欄に取得したデータを保存して（Ｓ１０６）処理を終了する。
【００７１】
ＧＰＳ情報ではない場合には（Ｓ１０５において「ＮＯ」）、受信した位置情報のデータがエリア情報か否かの判定を行う（Ｓ１０７）。エリア情報である場合には（Ｓ１０７において「ＹＥＳ」）、予約サーバ１０が備える検索履歴テーブル（図７）の「位置情報種類」の欄に「エリア情報」と入力するとともに、「位置情報」の欄に取得したデータを保存して（Ｓ１０９）、処理を終了する。
【００７２】
一方、エリア情報ではない場合には（Ｓ１０７において「ＮＯ」）、利用者の携帯情報端末４の位置情報を取得することができないので、宿泊施設の空室検索を行うことができない旨のメッセージを生成して、利用者の携帯情報端末に送信して（Ｓ１０９）、処理を終了する。
【００７３】
また、本実施形態では、空室検索の申込画面になされた選択入力を受けて利用者の携帯情報端末４の位置情報を送信することとしたが、たとえば、利用者の携帯情報端末４から宿泊施設の空室検索を申し込むサイトにＵＲＬ入力がなされたような場合を受けて、直接位置情報を送信するように設定することもできる。
これにより利用者は、さらに迅速に手続を開始することができる。
【００７４】
なお、本実施形態においては、検索履歴テーブル（図７）を用いて処理のフローを説明したが、テーブルを用いた処理に限定するものではなく、メモリ上で処理を行うように設定してもよい。
【００７５】
［情報提供施設判定手段１２４］
図１２では、本実施形態において情報提供施設判定手段１２４が情報提供施設と判定する宿泊施設を図示する。情報提供施設判定手段１２４は、利用者の情報携帯端末４を中心にして「半径ｒ」以内に座標位置がある宿泊施設Ｂ，Ｃ，Ｄを、利用者の現在地の近くに立地しているため利便性が高く、利用者に情報提供を行う施設と判定する。
【００７６】
図１３は、利用者の携帯情報端末４の位置情報が示す現在地から、距離が近い宿泊施設を検索して、利用者の携帯情報端末４に情報提供を行う宿泊施設を判定する情報提供施設判定手段１２４の処理フローを示した図である。
【００７７】
情報提供施設判定手段１２４は、利用者位置情報受信手段１２３により利用者の位置情報を受信する処理の終了を受けて実行し、検索履歴テーブル１３５（図７）の「位置情報種類」の欄を参照して（Ｓ２０１）、ＧＰＳ情報であるか否かの判定を行う（Ｓ２０２）。ＧＰＳ情報である場合には（Ｓ２０２において「ＹＥＳ」）、検索履歴テーブル１３５の「位置情報」の欄から、利用者が備える携帯情報端末４の緯度経度のデータを抽出する（Ｓ２０３）。情報提供施設判定手段１２４は、抽出した緯度経度のデータを、位置情報ＤＢ１３４が備える距離判定テーブル（図１４）の「利用者の位置」の欄に入力する（Ｓ２０４）。
【００７８】
次に、情報提供施設判定手段１２４は、位置情報ＤＢ１３４から最初に記録された宿泊施設の緯度経度情報を抽出して距離判定テーブルに入力し（Ｓ２０５）、利用者とテーブルの宿泊施設との距離を算出して、距離判定テーブルの「２点間の距離」の欄に数値を入力する（Ｓ２０６）。
【００７９】
本実施形態では所定の距離（ｒ  ｋｍ）以内の宿泊施設に限定して、利用者に情報提供することとしているので、宿泊施設との距離が「ｒ  ｋｍ」以内であるか否かの判定を行い（Ｓ２０７）、「ｒ  ｋｍ」以内である場合には（Ｓ２０７において「ＹＥＳ」）、検索履歴テーブル１３５（図７）の「情報提供施設」の欄に施設名を入力して（Ｓ２０８）、かかる宿泊施設が最後の施設ではない場合には（Ｓ２０９において「ＮＯ」）、Ｓ２０６に戻り、次の施設の判定を行う（Ｓ２１０）。
【００８０】
一方、かかる施設が最後の施設である場合には（Ｓ２０９において「ＹＥＳ」）処理を終了する。
【００８１】
なお、本例においては、距離判定テーブル（図１４）を用いて２点間の距離の算出等を行うこととしたが、テーブルを用いた処理に限定するものではなく、メモリ上で算出等を行うように設定してもよい。
【００８２】
次に、Ｓ２０２において、検索履歴テーブル（図７）の「位置情報種類」の欄のデータがＧＰＳ情報ではなく、エリア情報であった場合には（Ｓ２０２において「ＮＯ」）、検索履歴テーブル１３５の「位置情報」の欄からエリア情報のデータを抽出する（Ｓ２１１）。抽出したエリア情報のデータは、位置情報ＤＢ１３４（図６）が備える最初に記録された宿泊施設の「エリア情報」と比較判定を行う（Ｓ２１２）。
【００８３】
宿泊施設が利用者の携帯情報端末４と同じエリアである場合には（Ｓ２１３において「ＹＥＳ」）、検索履歴テーブル１３５の「情報提供施設」の欄に施設名を入力して（Ｓ２１４）、かかる宿泊施設が最後の施設ではない場合には（Ｓ２１５において「ＮＯ」）、Ｓ２１３に戻り、次の施設の判定を行う（Ｓ２１６）。
【００８４】
一方、かかる宿泊施設が最後の施設である場合には（Ｓ２１５において「ＹＥＳ」）、処理を終了する。
【００８５】
なお、本実施形態において、利用者の携帯情報端末４がＧＰＳ機能を有する場合に、半径「ｒ  ｋｍ」以内にある宿泊施設を情報提供施設としたが、たとえば距離を限定することなく、近い順に５件といったように、件数で制限するように設定することもできる。
【００８６】
また、利用者の携帯情報端末４がエリア情報の取得機能を有する場合に、同じエリアの宿泊施設を情報提供施設としたが、隣接するエリアも含めて情報提供施設とするように設定することもできる。
【００８７】
なお、本実施形態では、情報を提供する施設の条件を位置情報に限定して説明したが、たとえば部屋タイプや宿泊料金等の条件を付加して、検索を行うように設定することもできる。
【００８８】
これにより、さらにきめ細やかな検索を行うことが可能となり、利用者へのサービス向上に繋げることができる。
【００８９】
［空き施設判定手段１２５］
図１５では、本実施形態において予約サーバ１０が備える空き施設判定手段１２５の概要を図示する。
【００９０】
利用者が備える携帯情報端末４は、インターネット等のネットワーク３を介して宿泊施設の予約を受け付ける予約サーバ１０と接続する。予約サーバ１０はネットワーク３を介して宿泊施設サーバ２と接続して相互に空室情報を同期させる。
【００９１】
予約サーバ１０は、宿泊予約を受け付ける宿泊施設の空室の情報を「空室テーブル１３２」で管理し、２４時（午後１２時）の経過を待って「２４時以降の空室テーブル」に移行する。したがって、利用者が備える携帯情報端末４からのアクセスも、２４時の経過により切り替えられる。
【００９２】
具体的には、予約サーバ１０に内蔵するタイマが２４時を経過した時点の「空室テーブル１３２」（図３）において、２４時を経過する前の日付の宿泊日であって残室数の欄に数値がある宿泊施設のデータを抽出して、新たに「２４時以降の空室テーブル１３３」（図４）を作成する。
【００９３】
図１６は、空き施設判定手段１２５により、情報提供を行う施設の空き情報を取得するフローを示した図である。
【００９４】
なお、本例では、２４時を経過する以前であって通常の空室テーブル１３２を参照することとするが、２４時を経過した後であって２４時以降の空室テーブル１３３を参照する場合にも、対象とするテーブルが異なること以外は同じフローとなる。
【００９５】
はじめに、空き施設判定手段１２５は、予約サーバ１０が備える検索履歴テーブル１３５（図７）の情報提供施設の欄から最初に記録された宿泊施設名・部屋タイプの情報を取得し（Ｓ３０１）、空室テーブル１３２（または２４時以降の空室テーブル１３３）において、該当する施設の該当する日の「締切」の欄を参照する（Ｓ３０２）。
【００９６】
空き施設判定手段１２５は、該当する施設の「締切」が「未」である場合には（Ｓ３０３において「ＹＥＳ」）、空室テーブル１３２（または２４時以降の空室テーブル１３３）において、該当する日付の「残室数」の欄のデータを参照する（Ｓ３０４）。なお、Ｓ３０４で参照するテーブルは、後述の図１７に示すサブルーチンにより選択される。
【００９７】
参照した「残室数」の欄に空室がある場合には（Ｓ３０５において「ＹＥＳ」）、検索履歴テーブル１３５の空室の欄に「有」と入力する。一方、空室がない場合には（Ｓ３０５において「ＮＯ」）、検索履歴テーブル１３５の空室の欄に「無」と入力する。
【００９８】
次に、空き施設判定手段１２５は、検索履歴テーブル１３５の部屋タイプの欄を参照し、宿泊施設における最後の部屋タイプであるか否かの判定を行い（Ｓ３０８）、最後の部屋タイプではない場合には（Ｓ３０８において「ＮＯ」）、次の部屋タイプについて処理を行う（Ｓ３０９）。
【００９９】
一方、最後の部屋タイプである場合には（Ｓ３０８において「ＹＥＳ」）、検索履歴テーブル１３５の宿泊施設名の欄を参照し、最後の宿泊施設であるか否かの判定を行い（Ｓ３１０）、最後の宿泊施設の場合には（Ｓ３１０において「ＹＥＳ」）処理を終了する。一方、最後の宿泊施設ではない場合には（Ｓ３１０において「ＮＯ」）、次の宿泊施設について処理を行う（Ｓ３１１）。
【０１００】
また、Ｓ３０３において、該当する施設の「締切」が「済」である場合には（Ｓ３０３において「ＮＯ」）、検索履歴テーブル１３５の宿泊施設名の欄を参照して、該当する施設が最後の宿泊施設か否かの判定を行い（Ｓ３１０）、最後の施設である場合に（Ｓ３１０において「ＹＥＳ」）処理を終了する。一方、最後の施設ではない場合には（Ｓ３１０において「ＮＯ」）、次の宿泊施設について処理を行う（Ｓ３１１）。
【０１０１】
なお、本実施形態において、空室サーバ１３２および２４時以降の空室サーバ１３３が備える「締切」の欄のデータを、「済」または「未」と状態を示す情報として管理することとしたが、各宿泊施設により設定された「締切時間」のデータを、そのまま保持するように設定することもできる。かかる場合には、利用者に宿泊予約を受け付ける情報提供施設の情報を提供した後、予約を検討する時間を考慮したものとすることができる。
【０１０２】
具体的には、Ｓ３０３において「締切」を判定する際に、たとえば設定された締切時間の１０分前の時間と、予約サーバ１０に内蔵するタイマによる現在の時間とを比較することで、「締切」が「済」であるか「未」であるかの判定を行うように設定する。
【０１０３】
一方で、後述の予約受付手段１２７による判定では、各宿泊施設により設定された実際の時間と、予約サーバ１０に内蔵するタイマによる現在の時間とを比較して、宿泊予約を受け付けるように設定する。
【０１０４】
これにより、利用者が検討している間に希望する宿泊施設の締切時間が到来したために宿泊予約を行うことができず、あらためて宿泊施設を検討しなければならないという事態を回避することができる。
【０１０５】
図１７は、図１６に示す本実施形態の空き施設判定手段１２５の処理フローのＳ３０４において、空室情報を参照するテーブルを判定するサブルーチンのフローを示した図である。
【０１０６】
空き施設判定手段１２５は、情報提供施設判定手段１２４による情報提供を行う施設の判定の後に実行し、はじめに予約サーバ１０に内蔵するタイマを参照して、現在の時間を取得する（Ｓ４０１）。次に取得した現在の時間が２４時以前であるか否かの判定を行い（Ｓ４０２）、２４時以前である場合には（Ｓ４０２において「ＹＥＳ」）、空室テーブル１３２（図４）を参照する（Ｓ４０３）。一方、２４時以降である場合には（Ｓ４０２において「ＮＯ」）、２４時以降の空室テーブル１３３（図５）を参照する（Ｓ４０４）。
【０１０７】
なお、本実施形態においては、利用者の携帯情報端末４に、空室がある施設の名称等を表示することとしたが、たとえば空室がある施設の名称等に加えて、空室の数量や一定数以下の場合に「僅少」であることを示すアイコン等を用いて表示するように設定することもできる。
【０１０８】
これにより、利用者は宿泊施設の空室の状況に応じて、予約の可否を判断することが可能となる。
【０１０９】
［空き施設情報表示手段１２６］
次に、図１８では、本実施形態における空き施設情報表示手段１２６の機能について説明を行う。
【０１１０】
空き施設情報表示手段１２６は、空き施設判定手段１２５による処理の終了後に実行し、はじめに検索履歴テーブル１３５（図７）の位置情報種類の欄を参照し（Ｓ５０１）、ＧＰＳ情報である場合には（Ｓ５０２において「ＹＥＳ」）、検索履歴テーブル１３５において空室が「有」の情報提供施設の宿泊施設名と距離のデータを取得し（Ｓ５０３）、利用者の携帯情報端末４に情報提供を行う画面の表示データに、距離が短い宿泊施設から順に出力して（Ｓ５０４）処理を終了する。
【０１１１】
また、Ｓ５０２において、ＧＰＳ情報ではなくエリア情報である場合には（Ｓ５０２において「ＮＯ」）、検索履歴テーブル１３５において空室の欄が「有」の情報提供施設のデータをすべて取得し（Ｓ５０５）、利用者の携帯情報端末４に情報提供を行う画面の表示データに出力して（Ｓ５０６）処理を終了する。
【０１１２】
図１９では、空き施設情報表示手段１２６により、利用者が備える携帯情報端末４の表示部４４に情報提供画面を表示した例を示す。本例はＧＰＳ機能を有する携帯情報端末の場合を示すが、エリア情報機能を有する携帯情報端末の場合には、距離の表示はなされない。他にも部屋タイプ、宿泊料金、住所等の情報を表示することができる。
【０１１３】
かかる表示画面では、利用者が希望する宿泊施設の選択入力を行うことで予約受付を行うように設定する。また、携帯情報端末４の音声処理部４５が備える機能により、宿泊施設に電話発信を行い、電話で予約を行うように設定することもできる。
【０１１４】
［予約受付手段１２７］
図２０には、本実施形態における予約受付手段１２７により、利用者の携帯情報端末４から宿泊予約を受け付けるフローを示す。
【０１１５】
はじめに、空き施設情報表示手段１２６により、利用者の携帯情報端末４の表示部４４に情報提供画面を表示する（Ｓ６０１）。予約受付手段１２７は、利用者が宿泊を希望する施設の予約を選択すると（Ｓ６０２において「ＹＥＳ」）、かかる選択入力を受信する（Ｓ６０３）。なお、利用者が宿泊を希望する施設の予約を選択しない場合には（Ｓ６０２において「ＮＯ」）処理を終了する。
【０１１６】
利用者からの宿泊施設の選択入力を受信した予約受付手段１２７は、空室テーブル１３２（または２４時以降の空室テーブル１３３）の、該当する施設の残室数の欄を参照する（Ｓ６０４）。なお、Ｓ６０４で参照するテーブルは、後述の図２１に示すサブルーチンにより選択される。
【０１１７】
参照した「残室数」の欄に空室がある場合には（Ｓ６０５において「ＹＥＳ」）、宿泊を希望する利用者の氏名、住所等の情報を入力する画面表示データを生成して、利用者の携帯情報端末４に送信する（Ｓ６０６）。次に、利用者からの情報入力がなされると、かかるデータを受信して（Ｓ６０７）、予約ＤＢ１３１のデータを更新するとともに（Ｓ６０８）、空室テーブル１３２（または２４時以降の空室テーブル１３３）のデータを更新する（Ｓ６０８）。
【０１１８】
一方、Ｓ６０５において、空室テーブル１３２（または２４時以降の空室テーブル１３３）の残室数に空室がない場合には、空き施設判定手段１２５から処理を繰り返す（Ｓ６１０）。
【０１１９】
ここで、予約ＤＢ１３１および空室テーブル１３２（または２４時以降の空室テーブル１３３）におけるデータの更新に伴い、該当する宿泊施設サーバ２が備える予約ＤＢ２３１および空室テーブル２３２のデータも同期して更新される。
【０１２０】
なお、予約サーバ１０の予約ＤＢ１３１を更新するのに際して（Ｓ６０８）、あらかじめ宿泊施設サーバ２が備える予約ＤＢ２３１および空室テーブル２３２のデータの更新を行うように設定することもできる。
【０１２１】
これにより、たとえば宿泊施設において、店頭や電話により他の利用者と対応しているときに、利用者から予約サーバ１０を経由して予約申込処理がなされたような場合であっても、売り違いのリスクを回避することができる。
【０１２２】
また、予約受付手段１２７が参照する空室テーブルは、時間帯により異なる。図２１には、図２０に示す本実施形態における予約受付手段１２７の処理フローのＳ６０４において、空室情報および締切情報を参照するテーブルを判定するサブルーチンのフローを示した図である。
【０１２３】
はじめに利用者からの予約を選択する入力を受信すると、予約サーバ１０に内蔵するタイマから現在の時間のデータを取得し（Ｓ７０１）、２４時（午後１２時）以前であるか否かの判定を行い（Ｓ７０２）、２４時以前である場合には（Ｓ７０２において「ＹＥＳ」）、通常における空室テーブル１３２を参照する（Ｓ７０３）。一方、２４時以降である場合には（Ｓ７０２において「ＮＯ」）、２４時以降の空室テーブル１３３を参照する（Ｓ７０４）。
【０１２４】
［本実施形態の効果］
上述の通り、本実施形態の予約情報提供システム１によれば、外出中の利用者が何らかの事情により帰宅できなくなったような状況において、急な宿泊施設の予約を行う場合であっても、利用者が備える携帯情報端末４の現在の位置情報と、現在の宿泊施設の予約空き情報とに基づき、利用者に近接した空室がある宿泊施設を検索して画面に表示されるので、利用者は携帯情報端末４に表示された空室がある宿泊施設から、利用を希望する宿泊施設を容易に選択することができる。
【０１２５】
また、複数の宿泊施設の予約を管理する予約サーバ１０が、それぞれの宿泊施設における予約受付の締切時間の情報を保持することで、締切時間を経過した宿泊施設を検索対象から排除することができるので、深夜においても空室がある宿泊施設を正確に検索することができる。
【０１２６】
さらに、日付が変更した後においても、宿泊施設の予約サーバ１０により、利用者からの宿泊予約を受け付けることもできるので、利用者および宿泊施設の従業員の予約申込手続に要する作業負担を軽減することができる。
【０１２７】
なお、本実施形態では、位置情報について説明を行ったが、たとえば、交通機関の乗り換え情報や終電情報等の交通情報と組み合わせて、さらにきめ細かい情報提供を行うように設定することもできる。
【０１２８】
他にも、本発明の予約情報提供システム１が備えるＧＰＳ情報を取得する機能を用いて、さらに利便性を向上させるように設定することもできる。
たとえば、本実施形態では利用者に情報提供を行う宿泊施設の選択を一律に行うこととしたが、利用者の携帯情報端末４から送信される位置情報の取得状況に応じて、異なる宿泊施設を選択するように設定することもできる。
【０１２９】
具体的には、上述の本実施形態の設定では、利用者の携帯情報端末４から宿泊施設の検索申込があった場合に、その時点の位置情報の送信を受けて利用者の現在地を特定することとするが、その際に送信を受ける位置情報の回数を一定期間ごとに複数回とすることで、利用者の移動状況を検出することができる。
【０１３０】
すなわち、最初に受信した位置情報と、たとえば３秒後に受信した位置情報の変化を捉えることで、利用者が徒歩なのか、それとも自動車等の高速な交通機関を利用しているのかを判定する。判定の結果、自動車等であると判定された場合には、長距離の移動が可能なので、距離判定テーブル（図１４）において利用者が移動に要する負担を一定の距離範囲とするために設定された「ｒ  ｋｍ」の値を変更する。
【０１３１】
図２２には、本設定例における利用者位置情報受信手段１２３および情報提供施設判定手段１２４により、宿泊施設を抽出する際の処理のフローチャートを示す。なお、本図では上述の図１１・図１３と同じところは説明を省略する。
【０１３２】
はじめに、利用者位置情報受信手段１２３が利用者の携帯情報端末４に表示した空室検索申込の選択入力画面において、利用者が申込の選択入力を行うと（Ｓ８０１）、利用者の携帯情報端末４が備えるＧＰＳ機能により、その時点の位置情報を取得して予約サーバ１０に送信する（Ｓ８０２）。さらに最初の位置情報を取得した３秒経過後の位置情報を取得して予約サーバ１０に送信する（Ｓ８０３）。
【０１３３】
なお、利用者位置情報受信手段１２３は、利用者からの申込データの受信を受けて、利用者の携帯情報端末４に、サービスを利用する際の注意点や各種の割引情報等を記載した表示データを送信する。これにより利用者は、待ち時間を利用してサービス内容の確認や割引情報等を知ることができる。
【０１３４】
ここで、利用者の携帯情報端末４から複数回数の位置情報の取得および送信は、たとえば、Ｓ８０１で申込の選択入力が行われたときに携帯情報端末４が読み込むファイルに、選択入力の時点とその３秒後における位置情報を取得して予約サーバ１０に送信することを命じるタグを埋め込むことで行う。
【０１３５】
次に、情報提供施設判定手段１２４は、最初の位置情報と３秒経過後の位置情報を受信すると、それぞれの経度緯度から２点間の距離を算出する（Ｓ８０４）。この２点間の距離は利用者の３秒間における移動距離となるので、徒歩と自動車等では異なる数値となる。本設定例における情報提供施設判定手段１２４は、自動車等の高速な交通機関を利用している場合を検出する所定の距離「ｘ」を備える。ここで「ｘ」の値は、たとえば時速３０ｋｍを超える速度である場合を自動車等の高速な交通機関と判定する場合であれば、３秒間で「２５ｍ」と設定する。
【０１３６】
情報提供施設判定手段１２４は、算出された利用者の移動距離と所定の距離「ｘ」と比較判定を行い（Ｓ８０５）、「ｘ」以内の値である場合には（Ｓ８０６で「ＹＥＳ」）、距離判定テーブル（図１４）があらかじめ備える値である「ｒ  ｋｍ」以内に位置する宿泊施設を抽出して（Ｓ８０８）以降の処理をすすめる。なお、ここで距離の判定は２度目に送信された利用者の経度緯度情報に基づいて行う。
【０１３７】
一方、「ｘ」を超える値である場合には（Ｓ８０６で「ＮＯ」）、情報提供施設判定手段１２４は、距離判定テーブル（図１４）があらかじめ備える「ｒ  ｋｍ」の値を、さらに大きな値に変更する（Ｓ８０７）。次に変更された「ｒ  ｋｍ」以内に位置する宿泊施設を抽出して（Ｓ８０８）以降の処理を進める。
【０１３８】
これにより、利用者に負担をかけることなく、自動車等で長距離の移動が可能な利用者に対して、広域における宿泊施設の情報が提供されることになるので、利用者の利便性を向上させることができる。
【０１３９】
なお、信号により停止している場合や、宿泊施設の確保後に自家用車やタクシーでの移動を考えているような場合もあるので、所定の移動距離に達しないと判定された利用者に対しても、移動が自動車等の高速な交通機関であるか否かの選択入力画面を表示して、自動車等である場合に「ｒ  ｋｍ」の設定値を大きな値に変更するように設定することもできる。
【０１４０】
また、利用者が位置する地点が、宿泊施設が集積するターミナル駅等である否かにより、「ｒ  ｋｍ」の設定値を変更するように設定することもできる。具体的には、あらかじめ宿泊施設が集積する地域の経度緯度のデータを備えて、取得した利用者の現在地の経度緯度と比較判定を行い、該当する地域ではない場合に「ｒ  ｋｍ」の設定値を大きな値に変更する。これにより、利用者が位置する地点に応じて最適な宿泊施設の情報を提供することができる。
【０１４１】
なお、本発明の予約情報提供システムは、宿泊施設に限定するものではなく、各種設定の変更により、教室・会議室等の貸室、スポーツ施設、遊戯施設等の予約情報の管理にも応用することができる。
【図面の簡単な説明】
【０１４２】
【図１】本実施形態にかかる予約情報提供システム１のハードウエア構成を示した図である。
【図２】本実施形態にかかる予約情報提供システム１のシステム構成を示したブロック図である。
【図３】本実施形態にかかる予約情報提供システム１を構成する予約サーバ１０の記憶部１３が備える予約ＤＢ１３１の構成例である。
【図４】本実施形態にかかる予約情報提供システム１を構成する予約サーバ１０の記憶部１３が備える空室テーブル１３２の構成例である。
【図５】本実施形態にかかる予約情報提供システム１を構成する予約サーバ１０の記憶部１３が備える２４時以降の空室テーブル１３３の構成例である。
【図６】本実施形態にかかる予約情報提供システム１を構成する予約サーバ１０の記憶部１３が備える位置情報ＤＢ１３４の構成例である。
【図７】本実施形態にかかる予約情報提供システム１を構成する予約サーバ１０の記憶部１３が備える検索履歴テーブル１３５の構成例である。
【図８】本実施形態にかかる予約情報提供システム１を構成する宿泊施設サーバ２の記憶部２３が備える予約ＤＢ２３１の構成例である。
【図９】本実施形態にかかる予約情報提供システム１を構成する宿泊施設サーバ２の記憶部２３が備える空室テーブル２３２の構成例である。
【図１０】本実施形態にかかる予約情報提供システム１における処理の概要を示すシーケンス図である。
【図１１】本実施形態にかかる予約情報提供システム１の予約サーバ１０が備える利用者位置情報受信手段１２３の処理を示すフローチャートである。
【図１２】本実施形態にかかる予約情報提供システム１の情報提供施設判定手段１２４の機能を示した図である。
【図１３】本実施形態にかかる予約情報提供システム１の予約サーバ１０が備える情報提供施設判定手段１２４の処理を示すフローチャートである。
【図１４】本実施形態にかかる予約情報提供システム１を構成する予約サーバ１０の記憶部１３が備える距離判定テーブルの構成例である。
【図１５】本実施形態にかかる予約情報提供システム１の空き施設判定手段１２５の機能を示した図である。
【図１６】本実施形態にかかる予約情報提供システム１の予約サーバ１０が備える空き施設判定手段１２５の処理を示すフローチャートである。
【図１７】本実施形態にかかる予約情報提供システム１の予約サーバ１０が備える空き施設判定手段１２５の、テーブルを選択する際の処理を示すフローチャートである。
【図１８】本実施形態にかかる予約情報提供システム１の予約サーバ１０が備える空き施設情報表示手段１２６の処理を示すフローチャートである。
【図１９】本実施形態にかかる予約情報提供システム１の空き施設情報表示手段１２６により表示される情報提供画面の表示例である。
【図２０】本実施形態にかかる予約情報提供システム１の予約サーバ１０が備える予約受付手段１２７の処理を示すフローチャートである。
【図２１】本実施形態にかかる予約情報提供システム１の予約サーバ１０が備える予約受付手段１２７において、テーブルを選択する際の処理を示すフローチャートである。
【図２２】利用者の移動情報に基づいて情報提供施設を抽出する設定とした場合の処理を示すフローチャートである。
【符号の説明】
【０１４３】
１  予約情報提供システム
２  宿泊施設サーバ
３  ネットワーク
４  携帯情報端末
５  ＧＰＳ衛星
６  移動体基地局
７  移動体通信網
８  位置情報サーバ
１０  予約サーバ
１１，２１  送受信部
１２，２２  中央演算処理部
１３，２３  記憶部
１４，２４  入力部
１５，２５  出力部
４１  通信部
４２  制御部
４３  操作部
４４  表示部
４５  音声処理部
４６  ＧＰＳ送受信部
１２１，２２１  送受信処理手段
１２２，２２２  入出力処理手段
１２３  利用者位置情報受信手段
１２４  情報提供施設判定手段
１２５  空き施設判定手段
１２６  空き施設情報表示手段
１２７，２２３  予約受付手段
１３１，２３１  予約ＤＢ
１３２，２３２  空室テーブル
１３３  ２４時以降の空室テーブル
１３４  位置情報ＤＢ
１３５  検索履歴テーブル
【図１】
2010073175.tif 000003
【図２】
2010073175.tif 000004
【図３】
2010073175.tif 000005
【図４】
2010073175.tif 000006
【図５】
2010073175.tif 000007
【図６】
2010073175.tif 000008
【図７】
2010073175.tif 000009
【図８】
2010073175.tif 000010
【図９】
2010073175.tif 000011
【図１０】
2010073175.tif 000012
【図１１】
2010073175.tif 000013
【図１３】
2010073175.tif 000014
【図１４】
2010073175.tif 000015
【図１６】
2010073175.tif 000016
【図１７】
2010073175.tif 000017
【図１８】
2010073175.tif 000018
【図１９】
2010073175.tif 000019
【図２０】
2010073175.tif 000020
【図２１】
2010073175.tif 000021
【図２２】
2010073175.tif 000022
【図１２】
2010073175.tif 000023
【図１５】
2010073175.tif 000024